(57)【要約】【課題】  打球直後のゴルフボールにバックスピンがかかり揚力で最高点に達し、急速に球速及びバックスピンが落ちはじめた時点で降下しながら放物線状に飛翔中ディンプルの壁面部に風圧が作用して、打球方向とゴルフボールの回転軸を一致させて飛翔することで風の影響を軽減させるゴルフボールを提供する。【解決手段】  ゴルフボールの表面のほぼ全面に周縁が円形状のディンプルを設け、前記ディンプルの周縁の一部分を下方向に垂下させて深底部にいたる壁面部を設け、その壁面部に対向する周縁部へ向けて深底部から上方へ徐々に浅くした底面部は深底部の反対側のディンプルの周縁に合致させるように成型することを特徴とするゴルフボール。【選択図】図１
2010017495.tif 000002
【特許請求の範囲】
【請求項１】
ゴルフボールの表面のほぼ全面に周縁が円形状のディンプルを設け、前記ディンプルの周縁の一部分を下方向に垂下させて深底部にいたる壁面部を設け、その壁面部に対向する周縁部へ向けて深底部から上方へ徐々に浅くした底面部は深底部の反対側のディンプルの周縁に合致させるように成型することを特徴とするゴルフボール。
【発明の詳細な説明】
【技術分野】
【０００１】  本発明は、打球直後のゴルフボールにバックスピンがかかり揚力で最高点に達し、急速に球速及びバックスピンが落ちはじめた時点で降下しながら放物線状に飛翔中ディンプルの壁面部に風圧が作用して、打球方向とゴルフボールの回転軸を一致させて飛翔することで、風の影響を軽減させるゴルフボールに関するものである。
【背景技術】
【０００２】  従来は、ゴルフボールの表面のほぼ全面に円形状の大きさを違えて組み合わせてディンプルを設け、底面部の形状は対称的に形成していた。打球直後にバックスピンがかかり揚力で最高点に達した後、初速より急速に球速が落ち、また、バックスピンも落ちはじめ、放物線状に降下しながら飛翔し、落下地点まで打球方向に対してほぼ直角の回転軸（バックスピンがかかった状態）で回転を弱めながら飛翔していた。
【発明の開示】
【発明が解決しようとする課題】
【０００３】  そのために、次のような問題点があった。
（イ）ウッド及びアイアン等のクラブフェースの中心（芯）より外側または、クラブフ  ェースを開き気味で打った場合は、打球にバックスピンと右回転の作用によりゴルフボ  ールは右上から左下方向に回転しながらスライスして、利き腕の方向に曲って飛翔して  いた。また、左方向から吹く風に流されて、より大きくスライスしてフェアウエーを外  す率が高くなっていた。
（ロ）ウッド及びアイアン等のクラブフェースの中心（芯）より内側または、クラブフ  ェースを被せ気味で打った場合は、打球にバックスピンと左回転の作用によりゴルフボ  ールは左上から右下方向に回転しながらフックして、利き腕の反対方向に曲って飛翔し  ていた。また、右方向から吹く風に流されて大きくフックしてフェアウエーを外す率が  高くなっていた。
（ハ）ウッド及びアイアン等のクラブフェースの中心（芯）で打った場合でも打球にバ  ックスピンがかかり揚力が発生して、ゴルフボールは最高点に達し、急速に球速及びバ  ックスピンが落ちて降下しながら放物線状に飛翔し、落下地点までバックスピンがかか  っているため、アゲンストの風の影響を受けフェアウエーを外す一因になったり、飛距  離にも悪い影響を与えていた。
本発明は、以上の問題点を解決するためになされたものである。
【問題を解決するための手段】
【０００４】  ゴルフボールの表面のほぼ全面に周縁が円形状のディンプルを設け、前記ディンプルの周縁の一部分を下方向に垂下させて深底部にいたる壁面部を設け、その壁面部に対向する周縁部へ向けて深底部から上方へ徐々に浅くした底面部は深底部の反対側のディンプルの周縁に合致させるように成型する。以上を特徴とするゴルフボールである。
【発明の効果】
【０００５】  本発明は、インパクト直後ゴルフボールにバックスピンがかかり、揚力で最高点まで上がり急速に球速及びバックスピンが落ちはじめた時点から放物線状に降下しながら飛翔中、各ディンプルの壁面部に風圧を受け、バックスピン状態が進行方向を回転軸に変化させて、今までのバックスピンを変えて落下地点まで進行方向を回転軸にして、ゴルフボールが回転することによってゴルフボールの周りの空気の流れが均一化して、空気が薄くなり流れを一定に保ち空気抵抗を軽減させる。また、球速が落ちる度合を軽減するため風の影響も軽減させスライス及びフック等を最少限にして、フェアウエーにのせる確率を高める。そして、落下地点まで進行方向を回転軸としてゴルフボールが回転することによって、直進性を維持しながら飛翔してキャリーが伸びる。また、落下時にゴルフボールの回転が進行方向へ転がる回転に変りランも伸びる。
【０００６】  例えば、発射された弾丸の側面には、ゆるやかな斜めの線条痕が刻まれ、その弾丸の進行方向を回転軸として回転することによって、空気抵抗が小さくなりスピードも減少せず、直進性を維持しながら飛翔し命中率を高める。そのため進行方向を回転軸とした弾丸の回転は必要不可欠なものである。
【発明を実施するための最良の形態】
【０００７】  以下、本発明の実施の形態について説明する。
コア（１）をカバー（２）で覆ったゴルフボール（３）の表面のほぼ全面に周縁が円形状のディンプル（４）を設け、各ディンプル（４）の周縁の一部分から下方向に垂下させて深底部（５）にいたる壁面部（６）を設ける。壁面部（６）に対向する周縁部へ向けて深底部（５）から上方へ徐々に浅くなり底面部（７）を形成し、底面部（７）は深底部（５）の反対側のディンプル（４）の周縁にゆるやかな傾斜でゴルフボール表面（８）に合致させる。
（イ）ディンプル（４）の数は３５０〜５００個が望ましい。
（ロ）深底部（５）と壁面部（６）が接する部分は湾曲にすることが望ましい。
（ハ）深底部（５）の深さは０、２ｍｍ〜０、８ｍｍが望ましい。
（ニ）進行方向（進行軸）と回転軸を一致させゴルフボール（３）の回転数を上げるた        めに、壁面部（６）を回転軸に対して約１０度〜３０度の傾斜角度が望ましい。
（ホ）回転効果をだすために、ゴルフボール（３）の略半球のゴルフボール表面（８）        の略中央部に向って、各ディンプル（４）の壁面部（６）の位置をゆるやかな略        螺旋状に配列し、もう片方の略半球も前記略半球の回転方向と同一にするため、        図１に示すように壁面部（６）を形成し、どちらの略半球部が進行方向の先端に        位置しても同一方向の回転をすることが望ましい。
本発明は以上のような構造で、これを使用するときは、ゴルフボール（３）の各半球部  毎にディンプル（４）の壁面部（６）の向きを違えた境目の部分を打つ方向にセットし  て、ティーショットを行う。また、グリーン上ではゴルフボール（３）の位置にマーク  （マーカー）を置き、ディンプル（４）の壁面部の向きを違えた境目をカップに向って  転がす方向にセットしてパットをする。
【実施例１】
【０００８】  また図４に示すように、ゴルフボール（３）の表面のほぼ全面に角形状ディンプル（９）を設け、その角形状ディンプル（９）の周縁の一部分から下方向に垂下させて深底部（５）にいたる壁面部（６）を設ける。壁面部（６）に対向する周縁部へ向けて深底部（５）から上方へ徐々に浅くなり底面部（７）を形成し、底面部（７）は深底部（５）の反対側の角形状ディンプル（９）の周縁にゆるやかな傾斜でゴルフボール表面（８）に合致させる。
【実施例２】
【０００９】  また図５に示すように、ゴルフボール（３）の表面のほぼ全面に弦月状ディンプル（１０）を設け、その弦月状ディンプル（１０）の周縁の弦部分から下方向に垂下させて深底部（５）にいたる壁面部（６）を設ける。壁面部（６）に対向する半円形状の周縁部へ向けて深底部（５）から上方へ徐々に浅くなり底面部（７）を形成し、底面部（７）は弦月状ディンプル（１０）の半円形状の周縁にゆるやかな傾斜でゴルフボール表面（８）に合致させる。
【実施例３】
【００１０】  また図６に示すように、図１のディンプル（４）の形状と従来のディンプル（１１）をゴルフボール（３）の表面のほぼ全面に併用して成型する。また、角形状ディンプル（９）及び弦月状ディンプル（１０）等を併用して成型することができる。
【図面の簡単な説明】
【００１１】
【図１】本発明の斜視図
【図２】本発明の図１のＡ−Ａの断面図
【図３】本発明の要部の拡大断面図
【図４】本発明の実施例１を示す斜視図
【図５】本発明の実施例２を示す斜視図
【図６】本発明の実施例３を示す斜視図
【図７】本発明の図６のＢ−Ｂの断面図
【符号の説明】
【００１２】  １    コア
２    カバー
３    ゴルフボール
４    ディンプル
５    深底部
６    壁面部
７    底面部
８    ゴルフボール表面
９    角形状ディンプル
１０    弦月状ディンプル
１１    従来のディンプル
【図１】
2010017495.tif 000003
【図２】
2010017495.tif 000004
【図３】
2010017495.tif 000005
【図４】
2010017495.tif 000006
【図５】
2010017495.tif 000007
【図６】
2010017495.tif 000008
【図７】
2010017495.tif 000009